(57)【要約】      （修正有）【課題】簡単な構造配置方式により、接触面積の拡大、伝動構造の占用空間の減少及び安定に伝動可能な搬送装置及びそのユニバーサルボールユニット代替送りローラーユニットを提供する。【解決手段】ユニバーサルボールユニット代替送りローラーユニット１００は、捩り台座４４と、少なくとも一つのローラシャフト５０と、コネクティングロッドシャフト５８と、垂直軸７８とを備え、少なくとも一つのローラシャフト５０上に従動プーリー６５が固定設置され、コネクティングロッドシャフト５８上に少なくとも一つの主動プーリー６１が固定設置され、伝動ベルト６３により当該従動プーリー６５と少なくとも一つの主動プーリー６１が接続されることを特徴とする。本考案の搬送装置は、捩り用サーバモータと、送り用サーバモータとを備え、同一の平面に配列設置される当該ユニバーサルボールユニット代替送りローラーユニット１００を複数備える。【選択図】図１
0003204110.tif 000002
【実用新案登録請求の範囲】
【請求項１】
底部と当該底部に結合して対向設置された一対の壁部が設置されている捩り台座と、
当該捩り台座の当該一対の壁部の上部に回転可能に設置されると共に、その上に送りローラーが設置されている少なくとも一つのローラシャフトと、
当該捩り台座の当該一対の壁部の下部に回転可能に設置され、その中段にベベル・ギヤーが固定設置されるコネクティングロッドシャフトと、
当該捩り台座の底部に回転可能に固定されると共に、その上端部に上側ギヤーが固定設置され、その底端部に下側ギヤーが固定設置され、当該上側ギヤーと当該下側ギヤーとの間の中段に捩りギヤーが回転可能に設置され、当該上側ギヤーと当該ベベル・ギヤーが噛合い、当該捩りギヤーが当該捩り台座の底部の下方に固定される垂直軸とを備えるユニバーサルボールユニット代替送りローラーユニットであって、
当該少なくとも一つのローラシャフト上に従動プーリーが固定設置され、当該コネクティングロッドシャフト上に少なくとも一つの主動プーリーが固定設置され、伝動ベルトにより当該従動プーリーと当該少なくとも一つの主動プーリーが接続されることを特徴とするユニバーサルボールユニット代替送りローラーユニット。
【請求項２】
当該捩り台座上に水平方向に平行して間隔を空けて設置されている二つのローラシャフトが設けられ、一方のローラシャフトの壁部の外部に従動プーリーが設けられ、他方のローラシャフトの壁部の外部に従動ベルトが設けられ、当該コネクティングロッドシャフトは当該一対の壁部の外側の両端にそれぞれ主動プーリーが固定設置され、それぞ伝動ベルトにより二つの主動プーリーと二つの従動プーリーが接続されている請求項１に記載のユニバーサルボールユニット代替送りローラーユニット。
【請求項３】
それぞれの伝動ベルトはフラット・ベルト、Ｖ形ベルト、円形ベルト又は三角形ベルトである請求項１に記載のユニバーサルボールユニット代替送りローラーユニット。
【請求項４】
それぞれの伝動ベルトは同期ベルトである請求項１に記載のユニバーサルボールユニット代替送りローラーユニット。
【請求項５】
それぞれの送りローラーの軸方向の表面全体に搬送荷物と接触待ちの接触面が形成される請求項１〜４に記載のユニバーサルボールユニット代替送りローラーユニット。
【請求項６】
それぞれの送りローラーの軸方向の表面には耐摩耗材料から形成される耐摩耗層が設置される請求項１〜４に記載のユニバーサルボールユニット代替送りローラーユニット。
【請求項７】
捩り用サーバモータと送り用サーバモータとを備える搬送装置であって、同一の平面に配列設置される請求項１〜６の何れか一項に記載のユニバーサルボールユニット代替送りローラーユニットを複数備える搬送装置。
【請求項８】
当該捩り用サーバモータには当該捩りギヤーと噛合う第１遊び車が設置され、第１遊び車により回転運動が当該捩りギヤーに伝達され、当該送り用サーバモータには当該下側ギヤーと噛合う第２遊び車が設置され、第２遊び車により回転運動が当該下側ギヤーに伝達される請求項７に記載の搬送装置。
【考案の詳細な説明】
【技術分野】
【０００１】
本考案は搬送装置に関わり、当該搬送装置は、その二次元空間の搬送面上に複数の送り部が分散して設置され、それぞれの送り部の運行により順に荷物を移動させて送ることで荷物を所定の位置に搬送する。
【背景技術】
【０００２】
図６に示すように、従来の搬送システムでは、複数の搬送装置３０を縦方向及び横方向の接続・配列方式で形成し、各搬送装置３０の上に搬送面３２を設置することで荷物Ｗを各搬送面３２により所定の位置に移動させ、図７に示すように、各搬送装置３０は二次元空間（ＸＹ平面）内に分散配置された複数のユニバーサルボールユニット代替送りローラーユニット１００（送り部ともいう）から構成され、それぞれのユニバーサルボールユニット代替送りローラーユニット１００はサーボモーター（図示しない）に駆動され、当該ＸＹ平面内に自由に回転することにより、当該搬送装置３０が荷物Ｗを運送する前進方向を調整し、またそれぞれのユニバーサルボールユニット代替送りローラーユニット１００の上部に荷物Ｗの運送用の一対の送りローラー４６が設置され、それぞれの送りローラー４６はサーボモーターの駆動により回転自由となるとともに、荷物Ｗを運送して前進させる。
【０００３】
さらに図８に示すように、それぞれのユニバーサルボールユニット代替送りローラーユニット１００は捩りギヤー７４と捩り台座４４を備え、当該捩り台座４４は鋼板でＵ字型の構造に曲げられ、当該捩り台座４４は当該捩りギヤー７４の上に固定設置され、当該捩りギヤー７４に駆動され、荷物Ｗを運送する前進方向を調整し、さらに、それぞれのユニバーサルボールユニット代替送りローラーユニット１００の捩り台座４４の上に複数の軸受けにより一対の回転可能な送りローラー４６及びコネクティングロッドシャフト５８が設置され、当該捩り台座４４の底部の中部に縦方向に伸ばす垂直軸７８が設置され、それぞれの送りローラー４６の一側端部に送りローラーの歯部５２が設置され、当該コネクティングロッドシャフト５８においてそれぞれの送りローラー４６に近く当該送りローラーの歯部５２が設置された位置にベベル・ギヤー６２が備え、当該垂直軸７８の上端部に上側ギヤー８０が設置され、当該ベベル・ギヤー６２はそれぞれ当該一対の送りローラー４６の送りローラーの歯部５２及び当該上側ギヤー８０に噛み合い、さらに、当該垂直軸７８の回転動作を当該上側ギヤー８０、ベベル・ギヤー６２と二つの送りローラーの歯部５２を介して当該の一対の送りローラー４６上に伝達することにより、当該垂直軸７８の回転動作はベベル・ギヤー６２が送りローラー４６を駆動することで伝動され、さらに、従来のユニバーサルボールユニット代替送りローラーユニット１００が荷物Ｗの運送效果を提供することができる。
【０００４】
しかし、従来の搬送装置３０及びそのユニバーサルボールユニット代替送りローラーユニット１００には以下のような欠点と不足点がある。
一、接触面積が小さい。従来のユニバーサルボールユニット代替送りローラーユニット１００の送りローラー４６と荷物Ｗとの接触面積が小さく、それぞれの送りローラー４６の一側端部に当該送りローラーの歯部５２が設置されることで、当該送りローラーの歯部５２により回転動作を当該送りローラー４６に伝送する必要があるので、それぞれの送りローラー４６における当該送りローラーの歯部５２が設置された搬送された荷物Ｗと直接に接触せず、当該送りローラーの歯部５２の占める面積は約当該送りローラー４６の表面積の１／３であり、それぞれの送りローラー４６と荷物Ｗとの接触面積を大幅に制限・減少し、従来の搬送装置３０による荷物Ｗの安定な伝送の効果に影響する。
二、空間占用。従来の搬送装置３０の伝動機構の占めた空間が大きく、当該ベベル・ギヤー６２はそれぞれの送りローラーの歯部５２及び当該上側ギヤー８０に噛み合わなければならないので、当該ベベル・ギヤー６２が当該捩り台座４４内に一定の空間を占めることはユニバーサルボールユニット代替送りローラーユニット１００の小型化と密閉化に不具合である。
三、安定に伝動できない。従来の搬送装置３０が使われる場合に、埃または異物がその伝動機構に集積又は堆積した際に、ギヤーの噛合い関係が失効乃至伝動不可能になる。即ち、当該搬送面３２から落下した異物と埃がそれぞれの送りローラーの歯部５２、当該ベベル・ギヤー６２と当該上側ギヤー８０の中に集積・体積し、相対に噛合う歯の間の圧力を増加させ、長時間使われた後で、歯の摩損と変形が起こり、さらに、当該捩り台座４４上にそれぞれの送りローラー４６とコネクティングロッドシャフト５８が取り付けられる穴に変形が生じる現象が起こり、深刻な際に、伝動が失効になり、さらにそれぞれの送りローラー４６が安定に伝動できなくなる。
【考案の概要】
【考案が解決しようとする課題】
【０００５】
従って、本考案は従来搬送装置及びそのユニバーサルボールユニット代替送りローラーユニットの実際操作中の欠点及び不足点に鑑みて、続いている試験と研究の結果で、従来の欠点を改善できる本考案を実現し、本考案の搬送装置及びそのユニバーサルボールユニット代替送りローラーユニットは簡単な構造配置方式により、接触面積の拡大、伝動構造の占用空間の減少及び安定に伝動可能な搬送装置及びそのユニバーサルボールユニット代替送りローラーユニットを提供することを目的とする。
【課題を解決するための手段】
【０００６】
上記目的を達成するために、本考案では、
底部と当該底部に結合して対向設置された一対の壁部が設置されている捩り台座と、
当該捩り台座の当該一対の壁部の上部に回転可能に設置されるとともに、その上に送りローラーが設置されている少なくとも一つのローラシャフトと、
当該捩り台座の当該一対の壁部の下部に回転可能に設置され、その中段にベベル・ギヤーが固定設置されるコネクティングロッドシャフトと、
当該捩り台座の底部に回転可能に固定されると共に、その上端部に上側ギヤーが固定設置され、その底端部に下側ギヤーが固定設置され、当該上側ギヤーと当該下側ギヤーとの間の中段に捩りギヤーが回転可能に設置され、当該上側ギヤーと当該ベベル・ギヤーが噛合い、当該捩りギヤーが当該捩り台座の底部の下方に固定される垂直軸とを備えるユニバーサルボールユニット代替送りローラーユニットであって、
当該少なくとも一つのローラシャフト上に従動プーリーが固定設置され、当該コネクティングロッドシャフト上に少なくとも一つの主動プーリーが固定設置され、伝動ベルトにより当該従動プーリーと当該少なくとも一つの主動プーリーが接続されることを特徴とする。
【０００７】
さらに、当該ユニバーサルボールユニット代替送りローラーユニットにおいて、当該捩り台座上に水平方向に平行して間隔を空けて設置されている二つのローラシャフトが設けられ、一方のローラシャフトの壁部の外部に従動プーリーが設けられ、他方のローラシャフトの壁部の外部に従動ベルトが設けられ、当該コネクティングロッドシャフトは当該一対の壁部の外側の両端にそれぞれ主動プーリーが固定設置され、それぞれ伝動ベルトにより二つの主動プーリーと二つの従動プーリーが接続されている。
【０００８】
さらに、それぞれの伝動ベルトはフラット・ベルト、Ｖ形ベルト、円形ベルト又は三角形ベルトである。
【０００９】
それぞれの伝動ベルトは同期ベルトであることは好ましい。
【００１０】
それぞれの送りローラーの軸方向の表面全体に搬送荷物と接触待ちの接触面が形成されることはより好ましい。
【００１１】
それぞれの送りローラーの軸方向の表面には耐摩耗材料から形成される耐摩耗層が設置されることはより好ましい。
【００１２】
本考案はさらに、捩り用サーバモータと送り用サーバモータとを備える搬送装置であって、同一の平面に配列設置される上述のようなユニバーサルボールユニット代替送りローラーユニットを複数備えることを特徴とする搬送装置を提供する。
【００１３】
さらに、当該捩り用サーバモータには当該捩りギヤーと噛合う第１遊び車が設置され、第１遊び車により回転運動が当該捩りギヤーに伝達され、当該送り用サーバモータには当該下側ギヤーと噛合う第２遊び車が設置され、第２遊び車により回転運動が当該下側ギヤーに伝達される。
【００１４】
上記の技術的特徴により、本考案のユニバーサルボールユニット代替送りローラーユニットは従来の技術における送りローラーの伝動の際のギヤーの噛合う伝動方式による不具合効果を防ぐことができる。たとえば、送りローラーと荷物との接触面積が小さく、伝動構造の占用空間が大きく、埃の集積又は堆積による伝動失効が発生する可能性がある技術的課題である。本考案のそれぞれの送りローラーは搬送待ちの荷物との接触面積が大きくなり、荷物搬送の過程はより安定・高効率になり、伝動構造もより簡単、安定になり、そして、埃もそれぞれの送りローラー及び当該ベベル・ギヤーに集積しやすくなく、伝動構造の失効現象が生じ易くなく、搬送装置の運行がより安定、高効率になる。
【００１５】
さらに、当該捩り台座の両側に対称構造のプーリーが設置される伝動方式により伝動力の伝達がより安定になり、当該捩り台座が長時間運行する際にバランス崩れ、又は位置ずれなどの不具合状況が発生しない。またそれぞれの伝動ベルトをフラット・ベルト、Ｖ形ベルト、円形ベルト又は三角形ベルトとする又はそれぞれの伝動ベルトを同期ベルトとすることにより、駆動力の伝達がより安定になり、ユニバーサルボールユニット代替送りローラーユニットの運行する際に生じた騒音の低減に寄付する。また、それぞれの送りローラーの軸方向の表面全体に搬送待ちの荷物に接触するための接触面が形成され、それぞれの送りローラーの軸方向の表面に耐摩損材料から形成された耐摩損層が設置される方式により、それぞれの送りローラーと搬送待ちの荷物との接触面積と摩擦力を確保でき、搬送過程がより安定で高効率に運行する。
【００１６】
本考案の搬送装置は上述のようなユニバーサルボールユニット代替送りローラーユニットを備えるため、従来の技術における送りローラーの伝動際のギヤー噛合う伝導方式による不具合効果を防ぐことができる。たとえば、送りローラーと荷物との接触面積が小さく、伝動構造の占用空間が大きく、埃の集積又は堆積による伝動失効が発生する可能性がある技術的課題である。本考案のそれぞれの送りローラーは搬送待ちの荷物との接触面積が大きくなり、荷物搬送の過程はより安定・高効率になり、伝動構造もより簡単、安定になり、そして、埃もそれぞれの送りローラー及び当該ベベル・ギヤーに集積しやすくなく、伝動構造の失効現象が生じ易くなく、搬送装置の運行がより安定、高効率になる。
【図面の簡単な説明】
【００１７】
【図１】本考案の搬送装置のユニバーサルボールユニット代替送りローラーユニットの局部断面前面。
【図２】本考案の搬送装置のユニバーサルボールユニット代替送りローラーユニットの局部断面の側面図。
【図３】本考案の搬送装置のユニバーサルボールユニット代替送りローラーユニットの局部断面の上面図。
【図４】本考案の搬送装置のユニバーサルボールユニット代替送りローラーユニットが当該搬送装置に取付けられる操作概略図。
【図５】本考案の搬送装置のユニバーサルボールユニット代替送りローラーユニットが当該搬送装置に取付けられる局部断面の前面図。
【図６】従来の搬送システムの上面概略図。
【図７】従来の搬送装置のユニバーサルボールユニット代替送りローラーユニットの構造配置の拡大概略図。
【図８】従来の搬送装置のユニバーサルボールユニット代替送りローラーユニットの局部断面の前面図。
【考案を実施するための形態】
【００１８】
本考案の技術的特徴及び実用効果を詳しく分かり、明細書の内容に基づき実現するために、以下に図面に示すような好適な実施例で詳細に説明する。
【００１９】
図１乃至５に示すように、本考案の搬送装置１０及びそのユニバーサルボールユニット代替送りローラーユニット１００は図６〜８の従来の技術における同じ部品に付与した部品記号と同じもので表示されており、本考案の搬送装置１０のユニバーサルボールユニット代替送りローラーユニット１００は捩り台座４４を備え、当該捩り台座４４が金属板をＵ字型に曲げて形成され、当該捩り台座４４が底部４４ａ及び一対の壁部４４ｂ、４４ｃからなり、当該一対の壁部４４ｂ、４４ｃが互いに平行して間隔をあけて対向設置され、当該一対の壁部４４ｂ、４４ｃの上部に複数軸受け穴が設置され、複数の第１軸受け５１により、二つのローラシャフト５０を回転可能に当該捩り台座４４の上部の軸受け穴内に支持し、図２に示すように、当該捩り台座４４上にローラシャフト５０が二本又は複数本設置可能とし、水平方向に互いに平行し、一定の距離を空けて当該捩り台座４４の一対の壁部４４ｂ、４４ｃに回転可能に貫設されている。
【００２０】
当該一対の壁部４４ｂ、４４ｃの下部にさらに複数の軸受け穴が設置され、二つの第２軸受け５３によりコネクティングロッドシャフト５８が当該捩り台座４４下部の軸受け穴内に回転可能に支持され、さらに、当該捩り台座４４の底部４４ａの中段に軸受け穴が設置され、第３軸受け５５により垂直軸７８が当該捩り台座４４の底部４４ａの軸受け穴内に回転可能に固定され、また、当該捩り台座４４の当該第３軸受け５５の両側の底部４４ａ上に二つ又は複数の固定ピン穴５７が設置され、当該固定ピン穴５７に貫設された複数の固定ピンにより当該捩りギヤー７４と当該捩り台座４４とを固定結合する。
【００２１】
当該一対の壁部４４ｂ、４４ｃの間のそれぞれのローラシャフト５０上に送りローラー４６が固定設置され、当該送りローラー４６が搬送待ちの荷物と接触するとともに、摩擦力により荷物が所定の方向へ移動するよう駆動し、当該送りローラー４６の軸方向の表面全体がどこも当該搬送待ちの荷物と接触可能な接触面として形成され、それぞれの送りローラー４６と荷物との間の摩擦力の増加に寄付し、さらに、それぞれの送りローラー４６と荷物との間の摩擦力を増加するために、それぞれの送りローラー４６の軸方向の表面に高分子ポリマーなどの耐摩損材料から形成される耐摩損層を付加し、それぞれのローラシャフト５０の一端又は両端が当該捩り台座４４の一対の壁部４４ｂ、４４ｃより突出し、それぞれのローラシャフト５０の突出壁部４４ｂ、４４ｃの外側の位置に従動プーリー６５が設けられている。
【００２２】
当該コネクティングロッドシャフト５８の中段にベベル・ギヤー６４が設けられ、当該コネクティングロッドシャフト５８の一端又は両端が当該捩り台座４４の一対の壁部４４ｂ、４４ｃより突出でき、当該コネクティングロッドシャフト５８の突出壁部４４ｂ、４４ｃ外側の位置に主動プーリー６１が設けられ、当該主動プーリー６１が伝動ベルト６３により当該従動プーリー６５に接続され、当該垂直軸７８の上端部に上側ギヤー８０が固定設置され、当該上側ギヤー８０がベベル・ギヤーであり、当該ベベル・ギヤー６４と噛合い、当該垂直軸７８の底端部に下側ギヤー８６が固定設置され、当該捩りギヤー７４が当該第３軸受け５５により当該垂直軸７８の中段に回転可能に設置され、そして当該上側ギヤー８０と当該下側ギヤー８６との間に位置する。当該伝動ベルト６３がフラット・ベルト、Ｖ形ベルト、一円形ベルト又は三角形ベルトであることが好ましく、さらに、当該伝動ベルト６３が同期ベルトでもいい。正確な伝動及びノン・スリップを備え、安定な速度比、伝動安定性及び小さい騒音などの特性を得られる。
【００２３】
上記の技術的特徴により、本考案の搬送装置１０のユニバーサルボールユニット代替送りローラーユニット１００の伝動関係は図１〜３に示すように、当該下側ギヤー８６が駆動力により回転する際に、それと固定接続された垂直軸７８の回転を起こし、また当該垂直軸７８により当該上側ギヤー８０の回転を起こし、当該上側ギヤー８０が当該ベベル・ギヤー６４と噛合うので、当該垂直軸７８の回転動作を当該コネクティングロッドシャフト５８に伝達し、当該コネクティングロッドシャフト５８の一端又は両端に設置された主動プーリー６１の回転を起こし、それぞれの主動プーリー６１が当該伝動ベルト６３により対応の従動プーリー６５の回転を起こすことができ、それぞれの従動プーリー６５及びそれぞれの送りローラー４６は当該ローラシャフト５０上に固定設置されているので、それぞれの送りローラー４６が回転運動でき、摩擦力の作用で当該搬送待ちの荷物が所定の方向へ運送されるよう駆動する。
【００２４】
一方には、当該捩りギヤー７４は複数の固定ピンにより当該捩り台座４４に固定接続され、当該捩りギヤー７４が当該第３軸受け５５により当該垂直軸７８回り自由に回転できるので、当該捩りギヤー７４が駆動力の作用である角度回転した際に、当該捩り台座４４、それぞれのローラシャフト５０及び当該コネクティングロッドシャフト５８にある角度回転させ、即ち、それぞれの送りローラー４６も水平面上にある角度回転させ、この場合、当該回転角度により搬送荷物の運送方向を変えることができる。
【００２５】
さらに、図４及び５に示すように、本考案の搬送装置１０は下板３４ｂを備え、当該下板３４ｂにギヤー支持軸１０６が取付けられ、当該ギヤー支持軸１０６は、当該下板３４ｂの上側に回転可能に第１遊び車１０８が固定され、該下板３４ｂの下側に回転可能に第２遊び車１１０が固定され、当該ユニバーサルボールユニット代替送りローラーユニット１００は上から下へ当該下板３４ｂ上に設置された取付け穴内に挿入され、当該捩りギヤー７４が当該第１遊び車１０８と噛合うとともに当該下側ギヤー８６が当該第２遊び車１１０と噛合い、ネジ締結方式で当該ユニバーサルボールユニット代替送りローラーユニット１００が当該下板３４ｂに固定され、当該第１遊び車１０８が捩り用サーバモータの駆動により回転した際、当該捩りギヤー７４にある角度回転させ、当該ユニバーサルボールユニット代替送りローラーユニット１００の捩り台座４４及びそれぞれの送りローラー４６にそれに従って当該角度回転させ、即ち、当該搬送装置１０に運送された荷物の運送方向を便利に調整することができ、さらに当該第２遊び車１１０が送り用サーバモータの駆動により回転した際に、当該下側ギヤー８６に回転させ、さらに当該垂直軸７８、当該上側ギヤー８０、当該コネクティングロッドシャフト５８、それぞれの主動プーリー６１に回転させ、当該伝動ベルト６３、従動プーリー６５により、それぞれの送りローラー４６に連続回転させ、即ち、それぞれの送りローラー４６の駆動により便利に搬送待ち荷物を運送方向へ運送させる。
【００２６】
より好ましいことには、図２及び３に示すように、本考案のユニバーサルボールユニット代替送りローラーユニット１００は当該捩り台座４４上部に水平方向に平行し間隔を空けて二つのローラシャフト５０が設置され、各ローラシャフト５０上にそれぞれ送りローラー４６が設けられ、一方のローラシャフト５０は当該壁部４４ｂの外側に従動プーリー６５が設置され、他方のローラシャフト５０は当該壁部４４ｃの外側に従動プーリー６５も設置されている。二つの伝動ベルト６３は二つの従動プーリー６５をそれぞれ当該コネクティングロッドシャフト５８における当該壁部４４ｂと４４ｃの外側の二つの主動プーリー６１に接続し、前記空間及び結構の配置方式により、当該ユニバーサルボールユニット代替送りローラーユニット１００の両側にそれぞれ従動プーリー６５が設置され、当該ユニバーサルボールユニット代替送りローラーユニット１００の受力がより均衡になることができるため、長時間の運行過程において、ユニバーサルボールユニット代替送りローラーユニット１００にバランス崩れ又は位置ずれなどの現象が生じなく、安定な伝動及び荷物運送の効果を提供し、さらに本考案のユニバーサルボールユニット代替送りローラーユニット１００において、従動プーリー６５は捩り台座の一つの壁部４４ｂ又は４４ｃの外側のみに設置してもよく、相応にコネクティングロッドシャフト５８の一側に一つまたは二つの主動プーリー６１を設置し、伝動ベルト６３によりコネクティングロッドシャフト５８の回転運動を従動プーリー６５に伝達する。このような配置により、ユニバーサルボールユニット代替送りローラーユニット１００の結構はより簡単で、製造がより便利になる。
【００２７】
上記の技術的特徴により、本考案のユニバーサルボールユニット代替送りローラーユニット１００において、従来の技術の送りローラー４６の伝動の際のギヤーの噛合う伝動方式による不具合効果を防ぐことができ、例えば、送りローラー４６と荷物Ｗとの接触面積が小さく、伝動構造の占用空間が大きく、埃の集積又は堆積による伝動失効が発生する可能性がある技術的課題である。本考案のそれぞれの送りローラー４６は搬送待ちの荷物との接触面積が大きくなり、荷物搬送の過程はより安定・高効率になり、伝動構造もより簡単、安定になり、そして、埃もそれぞれの送りローラー４６及び当該ベベル・ギヤー６４に集積しやすくなく、伝動構造の失効現象が生じ易くなく、搬送装置１０の運行がより安定、高効率になる。
【００２８】
さらに、当該捩り台座４４の両側に対称構造のプーリーが設置される伝動方式により伝動力の伝達がより安定になり、長時間運行する際に当該捩り台座がバランス崩れ、又は位置ずれするなどの不具合状況が発生しない。またそれぞれの伝動ベルト６３をフラット・ベルト、Ｖ形ベルト、円形ベルト又は三角形ベルトとする又はそれぞれの伝動ベルト６３を同期ベルトとすることにより、駆動力の伝達がより安定になり、ユニバーサルボールユニット代替送りローラーユニット１００の運行する際に生じた騒音の低減に寄付する。また、それぞれの送りローラー４６の軸方向の表面全体に搬送待ちの荷物に接触するための接触面が形成され、それぞれの送りローラー４６の軸方向の表面に耐摩損材料から形成された耐摩損層が設置される方式により、それぞれの送りローラー４６と搬送待ちの荷物との接触面積と摩擦力を確保でき、搬送過程がより安定で高効率に運行する。
【００２９】
本考案の搬送装置１０は上述のようなユニバーサルボールユニット代替送りローラーユニットを備えるため、従来の技術の送りローラー４６の伝動際のギヤーの噛合う伝動方式による不具合を防ぐことができ、例えば、送りローラー４６と荷物Ｗとの接触面積が小さく、伝動構造の占用空間が大きく、埃の集積又は堆積による伝動失効が発生する可能性があるという技術的課題である。本考案のそれぞれの送りローラー４６は搬送待ちの荷物との接触面積が大きくなり、荷物搬送の過程はより安定・高効率になり、伝動構造もより簡単、安定になり、そして、埃もそれぞれの送りローラー４６及び当該ベベル・ギヤー６４に集積しやすくなく、伝動構造の失効現象が生じ易くなく、搬送装置１０の運行がより安定、高効率になる。さらに接触面積を向上し、伝動構造の占用空間を縮小し、安定に伝動できる搬送装置１０及びそのユニバーサルボールユニット代替送りローラーユニット１００を提供することができる。
【００３０】
上述は本考案の好適な実施例だけであり、本考案を制限しておらず、当業者が本考案に提出された技術的特徴の範囲内で本考案に提出された技術内容を一部変更、又は修飾した同等効果の実施例はいずれも本考案の技術的特徴の範囲に属している。
【符号の説明】
【００３１】
１０搬送装置                       ３０搬送装置
３２搬送面                         ３４ｂ下板
４４捩り台座                       ４４ａ底部
４４ｂ、４４ｃ壁部                 ４６送りローラー
５０ローラシャフト                 ５１第１軸受け
５２送りローラーの歯部             ５３第２軸受け
５５第３軸受け                     ５７固定ピン穴
５８コネクティングロッドシャフト   ６１主動プーリー
６２ベベル・ギヤー                 ６３伝動ベルト
６４ベベル・ギヤー                 ６５従動プーリー
７４捩りギヤー                     ７８垂直軸
８０上側ギヤー                     ８６下側ギヤー
１００ユニバーサルボールユニット代替送りローラーユニット  １０６ギヤー支持軸
１０８第１遊び車                   １１０第２遊び車
Ｗ荷物
【図１】
0003204110.tif 000003
【図２】
0003204110.tif 000004
【図３】
0003204110.tif 000005
【図４】
0003204110.tif 000006
【図５】
0003204110.tif 000007
【図６】
0003204110.tif 000008
【図７】
0003204110.tif 000009
【図８】
0003204110.tif 000010